(57)【要約】本発明は、比較的低温で良好な塩化水素除去効果を有する、新規な塩化水素除去剤を提供するものである。好ましくは、熱分解ガス、燃焼排ガス、乾留ガス等の塩化水素含有ガス中に含まれる塩化水素、とりわけ、バイオマス熱分解ガス中に含まれる塩化水素を除去するための、新規な塩化水素除去剤を提供する。本発明は、炭酸カルシウムと、イモゴライト及び／又は合成イモゴライトとの混合物を含むことを特徴とする塩化水素除去剤であり、かつ、該塩化水素除去剤を使用して、塩化水素含有ガス中に含まれる塩化水素、とりわけ、バイオマス熱分解ガス中に含まれる塩化水素を除去する方法に関する。【特許請求の範囲】
【請求項１】
炭酸カルシウムと、イモゴライト及び／又は合成イモゴライトとの混合物を含むことを特徴とする塩化水素除去剤。
【請求項２】
上記混合物中の、炭酸カルシウムと、イモゴライト及び／又は合成イモゴライトとの質量比が、１００：５〜５０である、請求項１記載の塩化水素除去剤。
【請求項３】
塩化水素含有ガスに含まれる塩化水素除去用の、請求項１又は２記載の塩化水素除去剤。
【請求項４】
バイオマス熱分解ガスに含まれる塩化水素除去用の、請求項１又は２記載の塩化水素除去剤。
【請求項５】
塩化水素含有ガスから、塩化水素除去剤を使用して塩化水素を除去する方法であって、該塩化水素除去剤が、炭酸カルシウムと、イモゴライト及び／又は合成イモゴライトとの混合物を含むことを特徴とする方法。
【請求項６】
上記混合物中の、炭酸カルシウムと、イモゴライト及び／又は合成イモゴライトとの質量比が、１００：５〜５０である、請求項５記載の方法。
【請求項７】
上記塩化水素の除去が、１００〜３５０℃の温度で実行される、請求項５又は６記載の方法。
【請求項８】
上記塩化水素の除去が、０．１００〜０．１２０ＭＰａの圧力で実行される、請求項５〜７のいずれか一つに記載の方法。
【請求項９】
上記塩化水素含有ガスが、バイオマス熱分解ガスである、請求項５〜８のいずれか一つに記載の方法。
【発明の詳細な説明】
【技術分野】
【０００１】
本発明は、塩化水素除去剤に関し、更に詳しくは、例えば、熱分解ガス、燃焼排ガス、乾留ガス等の塩化水素含有ガス中に含まれる塩化水素、とりわけ、バイオマス熱分解ガス中に含まれる塩化水素を除去するための塩化水素除去剤、及び、該塩化水素除去剤を使用して、上記塩化水素含有ガス中に含まれる塩化水素を除去する方法に関する。
【背景技術】
【０００２】
石炭及び石油等の化石燃料、一般廃棄物、可燃性廃棄物、食品残渣、バイオマス、例えば、木材、下水汚泥、畜産廃棄物等は、エネルギー源として焼却処理されたり、又は、熱処理されたりする。その際、焼却処理であれば燃焼排ガスが発生し、熱処理であれば熱分解ガス又は乾留ガスが発生する。燃焼排ガス中には、一般的に硫黄酸化物、塩化水素及び硝酸酸化物等が存在し、熱分解ガス及び乾留ガス中には、一般的に硫黄酸化物、塩化水素及び硝酸酸化物に加えて、硫化水素、シアン化水素及びアンモニア等が存在する。【０００３】
これら燃焼排ガス、熱分解ガス及び乾留ガス中に含まれる上記物質は、環境汚染物質とされている。そして、これら環境汚染物質を除去するための除去剤、及び、かかる除去剤を使用したこれら環境汚染物質の除去方法が多数知られている。例えば、燃焼物が高温度領域で燃焼している燃焼炉内において、前記燃焼物の燃焼によって発生する排ガスと炭酸カルシウム、消石灰等の還元剤とを、直接接触させる工程を備えていることを特徴とする、燃焼施設における排ガスに含有される硫黄酸化物と塩化水素の除去方法が提案されている（特許文献１）。該方法によれば、脱硫黄酸化物設備及び脱塩化水素設備を設置する必要がなくなることから、装置がコンパクトになるばかりではなく、燃焼温度付近で硫黄酸化物及び塩化水素を除去することができるという利点がある。しかし、該方法では、排ガス中の硫黄含有量及び塩化水素含有量にかかわらず、炭酸カルシウム及び消石灰等を多量に投入する必要があることから、効率的ではなく、また、大量の焼却灰が発生するという欠点があった。【０００４】
流動層ガス化装置において生成される合成ガスを浄化するためのプロセスにおいて、ａ）触媒キャンドルフィルタの上流で、合成ガスを１つ以上の吸着剤と接触させて、浄化合成ガスを形成すること、および、ｂ）前記浄化合成ガスを混合分解触媒を含有するキャンドルフィルタに通過させ、アンモニアおよびタールを除去し、それによって精製合成ガスを生成すること、を含む、プロセスが提案されている（特許文献２）。該方法は、ガス中の硫化水素、ＣＯＳ、ＣＳ２等を、石灰、石灰石若しくはそれらの粉砕物、又は、水酸化カルシウム、炭酸カルシウム、ドロマイト等で除去し、かつ、ガス中の塩化水素をカルシウム化合物で除去して、次いで、キャンドルフィルタを用いて除去物を濾別するものである。該方法によれば、硫黄化合物と塩化水素の他にダスト及びアルカリ金属（飛灰）をキャンドルフィルタで濾別除去することができ、更に、アンモニア及びタールをキャンドルフィルタ上で除去することができるというメリットがある。しかし、該方法の除去能力は、除去剤の能力に依存することから、長寿命の除去剤を使用することにより、より性能の向上を図ることが必須であると考えられる。また、キャンドルフィルタの目詰まりを予防するために、キャンドルフィルタを頻繁に交換するか、あるいは、逆洗をする必要があるという問題があった。【０００５】
上下方向に細長い処理塔と、塔内に収容され、下部に水相を有する炭酸カルシウムの充填層と、充填層の、上記水相よりも上に塩化水素含有ガスを供給するガス導入部と、処理塔内の充填層上の空間から処理ガスを放出する処理ガス排出部とを備えていることを特徴とする塩化水素含有ガスの中和処理装置が提案されている（特許文献３）。該方法は、塩化水素含有ガスを、炭酸カルシウム水溶液を循環させたスクラバー吸収塔に通すことで、塩化水素ガスを除去するものであり、該方法によれば、大量の塩化水素含有ガスを室温で簡便に処理することができるという利点がある。しかし、該方法では、燃焼排ガス又は熱分解ガスが冷却される過程で、配管内部に水分が結露し、そこに塩化水素が溶け込んで塩酸となり、途中の配管を腐食する等の装置上の不具合が生ずることが懸念される。そのため、脱塩化水素処理は、配管内部で水分が結露し、そこに塩化水素が溶け込んで塩酸となることを避けるために、そのような現象が生ずる温度以上の温度、即ち、１５０℃以上で処理されることが必須となる。【０００６】
長径寸法が３乃至１０ｍｍである粒子が９０重量％以上である石灰石と、水酸化カルシウム及び炭酸カルシウムからなる群から選択された少なくとも１種の化合物を８０重量％以上含有し、長径寸法が３乃至１０ｍｍである粒子が９０重量％以上である粒状成形体との混合物からなることを特徴とする排ガス処理材が提案されている（特許文献４）。該排ガス処理剤を、排ガスが通過する煙道中に配置して、焼却炉から発生する排ガス中の塩化水素を除去する。この際、排ガス処理剤中の水酸化カルシウム及び炭酸カルシウムは塩化水素を吸収して塩化カルシウムを生成し、そして、該塩化カルシウムが、焼却炉の運転中又は停止時に水分を吸収して溶解（潮解）して変形することにより、排ガスの偏流及び煙道の目詰まりを起こすことがある。しかし、該方法によれば、排ガス処理剤に石灰石の造粒品が混合されていることにより、上記のような不具合を予防し得るという効果が得られる。該方法は簡便であるが、塩化水素除去能力のない石灰石を混合するため、塩化水素除去効率が低下するという欠点があった。【０００７】
上記の特許文献４の欠点を解決するために、例えば、核用粒体、例えば、石灰石の表面に、中和系脱塩化水素反応剤、例えば、生石灰、消石灰、炭酸ナトリウム又は炭酸カルシウムの粉体と、珪酸カルシウム水和物との混合物からなるコーティング層を形成したことを特徴とする２成分型粒状脱塩化水素反応剤が提案されている（特許文献５）。該方法によれば、塩化水素除去剤の表面がすべて有効に塩化水素除去能力を有するので効果的に塩化水素除去処理が行える利点がある。しかしながら、表面コーティングが不適切であると、炭酸カルシウム等の塩化水素除去剤を珪酸カルシウムが覆い包んでしまい、塩化水素除去能力を発揮できないといった不具合、及び、コーティングが剥離して石灰石が露出し、塩化水素を除去できない等の不具合が発生する。このようなコーティング処理をする場合には、コーティング技術の出来不出来により塩化水素除去能力が左右されるという欠点があった。【０００８】
また、焼却時に塩化水素を発生する被焼却物を燃焼するに際して、燃焼時に炭酸カルシウム粒子と酸化鉄粒子とを共存させることを特徴とする焼却炉中の塩化水素除去法が提案されている（特許文献６）。該方法によれば、塩化水素との反応性が高い酸化鉄と炭酸カルシウムを混合することにより、炭酸カルシウム単独で塩化水素除去処理を行うよりもより効率的に塩化水素除去処理を行えるという特徴がある。該方法は酸化鉄と炭酸カルシウムを焼却炉内に投入して同時に焼却しながら塩化水素除去処理を行う方法であり、焼却灰が増加するという欠点があった。
【先行技術文献】
【特許文献】
【０００９】
【特許文献１】特開２００１−７９３４０号公報
【特許文献２】特表２０１２−５０６４８３号公報
【特許文献３】特開平７−２９９３２７号公報
【特許文献４】特開平１０−１８００８９号公報
【特許文献５】特開２０００−２２５３１９号公報
【特許文献６】特開平８−８２４１１号公報
【発明の概要】
【発明が解決しようとする課題】
【００１０】
本発明は、比較的低温で良好な塩化水素除去効果を奏するばかりではなく、該良好な塩化水素除去効果を比較的長時間に亘って保持し得る、新規な塩化水素除去剤を提供するものである。好ましくは、熱分解ガス、燃焼排ガス、乾留ガス等の塩化水素含有ガスの中に含まれる塩化水素、とりわけ、バイオマス熱分解ガスの中に含まれる塩化水素を除去するために有用な、新規な塩化水素除去剤を提供するものである。
【課題を解決するための手段】
【００１１】
塩化水素含有ガス中の塩化水素を除去する方法においては、一般的には炭酸カルシウムを塩化水素除去剤として使用している。しかし、上記の従来技術において説明した通り、該方法においては装置又は除去能力等に関する種々の問題が存在していた。そこで、本発明者らは、炭酸カルシウムを塩化水素除去剤として使用するにあたって、如何にすれば、塩化水素除去効率を上げることができるかについて、種々検討を重ねた。そして、本発明者らは、まず、炭酸カルシウムによる塩化水素の除去が、通常、６００〜８００℃という高温でなされていることに着目し、この温度を低くすることができないかという観点から検討を続けた。低温で塩化水素を効率よく除去できれば、装置コスト、操業コストを大幅に下げることに寄与し得る。その結果、下記の通り、炭酸カルシウムに、イモゴライト及び／又は合成イモゴライトを加えて、それを塩化水素の除去剤として使用すれば、比較的低温において良好な塩化水素除去効果を示すばかりではなく、比較的長時間に亘って、良好な塩化水素除去効果を維持し得ることを見出し、本発明を完成するに至った。【００１２】
即ち、本発明は、
（１）炭酸カルシウムと、イモゴライト及び／又は合成イモゴライトとの混合物を含むことを特徴とする塩化水素除去剤である。【００１３】
好ましい態様として、
（２）上記混合物中の、炭酸カルシウムと、イモゴライト及び／又は合成イモゴライトとの質量比が、１００：５〜５０である、上記（１）記載の塩化水素除去剤、
（３）上記混合物中の、炭酸カルシウムと、イモゴライト及び／又は合成イモゴライトとの質量比が、１００：１０〜３０である、上記（１）記載の塩化水素除去剤、
（４）上記混合物中の、炭酸カルシウムと、イモゴライト及び／又は合成イモゴライトとの質量比が、１００：１５〜２５である、上記（１）記載の塩化水素除去剤、
（５）塩化水素含有ガスに含まれる塩化水素除去用の、上記（１）〜（４）のいずれか一つに記載の塩化水素除去剤、
（６）熱分解ガス、燃焼排ガス又は乾留ガスに含まれる塩化水素除去用の、上記（１）〜（４）のいずれか一つに記載の塩化水素除去剤、
（７）バイオマス熱分解ガスに含まれる塩化水素除去用の、上記（１）〜（４）のいずれか一つに記載の塩化水素除去剤
を挙げることができる。【００１４】
また、本発明は、
（８）塩化水素含有ガスから、塩化水素除去剤を使用して塩化水素を除去する方法であって、該塩化水素除去剤が、炭酸カルシウムと、イモゴライト及び／又は合成イモゴライトとの混合物を含むことを特徴とする方法である。【００１５】
好ましい態様として、
（９）上記混合物中の、炭酸カルシウムと、イモゴライト及び／又は合成イモゴライトとの質量比が、１００：５〜５０である、上記（８）記載の方法、
（１０）上記混合物中の、炭酸カルシウムと、イモゴライト及び／又は合成イモゴライトとの質量比が、１００：１０〜３０である、上記（８）記載の方法、
（１１）上記混合物中の、炭酸カルシウムと、イモゴライト及び／又は合成イモゴライトとの質量比が、１００：１５〜２５である、上記（８）記載の方法、
（１２）上記塩化水素の除去が、１００〜３５０℃の温度で実行される、上記（８）〜（１１）のいずれか一つに記載の方法、
（１３）上記塩化水素の除去が、１５０〜２５０℃の温度で実行される、上記（８）〜（１１）のいずれか一つに記載の方法、
（１４）上記塩化水素の除去が、２００〜２５０℃の温度で実行される、上記（８）〜（１１）のいずれか一つに記載の方法、
（１５）上記塩化水素の除去が、０．０９０〜０．１５０ＭＰａの圧力で実行される、上記（８）〜（１４）のいずれか一つに記載の方法、
（１６）上記塩化水素の除去が、０．１００〜０．１２０ＭＰａの圧力で実行される、上記（８）〜（１４）のいずれか一つに記載の方法、
（１７）上記塩化水素含有ガスが、熱分解ガス、燃焼排ガス又は乾留ガスである、上記（８）〜（１６）のいずれか一つに記載の方法、
（１８）上記塩化水素含有ガスが、バイオマス熱分解ガスである、上記（８）〜（１６）のいずれか一つに記載の方法
を挙げることができる。
【発明の効果】
【００１６】
本発明の塩化水素除去剤は、比較的低温で良好な塩化水素除去効果を奏するばかりではなく、該良好な塩化水素除去効果を比較的長時間に亘って保持し得、加えて、炭酸カルシウムと、イモゴライト及び／又は合成イモゴライトとの混合物であることから比較的入手が容易であり、かつ、これらの物質を単に混合して使用するものであることから、特殊な形状への加工及び処理を必要とせず、かつ、使用に際して特殊な装置を必要としない故にきわめて安価である。
【図面の簡単な説明】
【００１７】
【図１】図１は、実施例において使用した塩化水素除去装置の概略図である。
【図２】図２は、実施例１において、塩化水素含有窒素ガスの流通開始時から、３０秒間毎に純水中に溶出した塩化水素量（体積ｐｐｍ）の変化を示したグラフである。
【図３】図３は、比較例１において、塩化水素含有窒素ガスの流通開始時から、３０秒間毎に純水中に溶出した塩化水素量（体積ｐｐｍ）の変化を示したグラフである。
【図４】図４は、比較例２において、塩化水素含有窒素ガスの流通開始時から、３０秒間毎に純水中に溶出した塩化水素量（体積ｐｐｍ）の変化を示したグラフである。
【発明を実施するための形態】
【００１８】
本発明の塩化水素除去剤は、炭酸カルシウムと、イモゴライト及び／又は合成イモゴライトとの混合物を含むことを特徴とする。ここで、合成イモゴライトとは、合成された非晶質アルミニウムケイ酸のことであり、市販品、例えば、戸田工業株式会社製ハスクレイ（登録商標）を使用することができる。該混合物における炭酸カルシウムと、イモゴライト及び／又は合成イモゴライトとの質量比は、炭酸カルシウム１００質量部に対して、イモゴライト及び／又は合成イモゴライトの上限が、好ましくは５０質量部、より好ましくは３０質量部、更に好ましくは２５質量部、更により好ましくは２０質量部であり、下限が、好ましくは５質量部、より好ましくは１０質量部、更に好ましくは１５質量部である。イモゴライト及び／又は合成イモゴライトの量が上記下限未満では、該混合物が塩化水素除去剤として十分な効果を発揮することができないことがあり、塩化水素の除去量が減少することがあるばかりではなく、塩化水素除去剤としての寿命が短くなることがある。一方、上記上限を超えても、塩化水素除去剤としての効果の著しい増加は認められず、イモゴライト及び／又は合成イモゴライト量の増加に伴って、コスト高を招くことがある。
【００１９】
上記本発明の塩化水素除去剤により、塩化水素を除去する際の温度は、その上限が、好ましくは３５０℃であり、より好ましくは２５０℃であり、一方、下限が、好ましくは１００℃であり、より好ましくは１５０℃であり、更に好ましくは２００℃である。上記下限未満では、炭酸カルシウムにイモゴライト及び／又は合成イモゴライトを混合した際の効果を十分に発揮できず、塩化水素除去量が減少することがある。一方、上記上限を超えては、炭酸カルシウムにイモゴライト及び／又は合成イモゴライトを混合したことの意義、即ち、塩化水素の除去温度を低下し得るという意義が薄れ、温度を上昇させるために必要な熱エネルギーの増加及びそのための設備増強によるコスト高を招く。また、塩化水素を除去するに際しての圧力は、好ましくは、０．０９０〜０．１５０ＭＰａであり、より好ましくは０．１００〜０．１２０ＭＰａである。通常、大気圧で実施することができる。
【００２０】
本発明の塩化水素除去剤は、塩化水素含有ガスであれば特に制限はなく、いずれのガスについても使用することができる。例えば、熱分解ガス、燃焼排ガス又は乾留ガス等の塩化水素含有ガスに含まれる塩化水素の除去に使用することができ、とりわけ、バイオマス熱分解ガスに含まれる塩化水素の除去に好適に使用し得る。
【００２１】
以下、本発明を実施例により更に詳細に説明するが、本発明はこれら実施例により限定されるものではない。
【実施例】
【００２２】
実施例及び比較例において使用した物質及び装置は下記の通りである。【００２３】
＜物質＞
炭酸カルシウム：関東化学株式会社製、特級、粉末（平均粒径：１２〜１５μｍ）
合成イモゴライト：戸田工業株式会社製ハスクレイＧＩＩＩ（商標）、（細孔容積：１ｃｍ３／ｇ、比表面積：約５００ｍ２／ｇ）【００２４】
＜装置＞
実験に使用した塩化水素除去装置（Ａ）の概略図を図１に示した。該装置（Ａ）は、流通系の塩化水素除去装置であり、外径１２．７ｍｍ、内径１０．７ｍｍ及び高さ約５０ｍｍのステンレス鋼製の円筒形装置である。該塩化水素除去装置（Ａ）内部の下部には焼結フィルター（３）が設置されており、その上にグラスウール（４）を敷き、該グラスウール（４）の上に塩化水素除去剤（６）を充填し、その上を、更に、グラスウール（４）で覆い、その上部に、気相部分（８）を介して焼結フィルター（３）を設置した。ここで、塩化水素除去剤（６）を充填した部分の高さ及び気相部分（８）の高さは、塩化水素除去剤（６）の充填量に依存して変化するが、夫々、約２５〜２８ｍｍ及び約２０〜２３ｍｍである。塩化水素の除去に使用されるガスは、塩化水素除去装置（Ａ）へのガス導入口（１）から取り入れられて、塩化水素除去装置（Ａ）内を上昇して塩化水素の除去後に、ガス排出口（２）から取り出される。円筒形装置の外側には加熱装置（５）、ここではリボンヒーターが設けられている。また、塩化水素除去装置（Ａ）上部の気相部分（８）には温度及び圧力測定装置（７）が設けられており、塩化水素除去装置（Ａ）内部の温度及び圧力を測定できる。【００２５】
（実施例１）
塩化水素除去剤として、炭酸カルシウム１．０ｇ（１００質量部）に対して、合成イモゴライト０．１ｇ（１０質量部）を使用した。これらを軽くかき混ぜて混合し、塩化水素除去装置（Ａ）の所定位置（６）に充填した。その後、塩化水素除去装置（Ａ）内に窒素ガスを２００ミリリットル／分で流通させて、塩化水素除去装置（Ａ）内を窒素雰囲気（無酸素雰囲気）とし、次いで、該窒素ガスの流通を維持しつつ、加熱装置（５）であるリボンヒーターにより塩化水素除去装置（Ａ）内の温度を２００℃に昇温した。該温度が一定になったことを確認した後、窒素ガスから、塩化水素含有窒素ガス（ＨＣｌ：１，１６０体積ｐｐｍ、Ｎ２：ｂａｌａｎｃｅ）に切り替えて、これを塩化水素除去装置（Ａ）内に、同じく２００ミリリットル／分で流通させて、塩化水素除去装置（Ａ）内の温度を２００℃に維持しつつ、塩化水素の除去を実施した。このときの塩化水素除去装置（Ａ）内の圧力は、０．０１５ＭＰａＧ（絶対圧で０．１１６ＭＰａ）であった。【００２６】
上記の塩化水素含有窒素ガスの流通中、ガス排出口（２）から取り出された排ガス全量を、容器中に入れられた４００ミリリットルの純水中に流通させることにより、該排ガス中の塩化水素を該純水中に溶出せしめた。この際、容器中の純水は攪拌機により全体が常に均一になるように十分に撹拌されていた。塩化水素が溶出した純水のｐＨ値を、上記の塩化水素含有窒素ガスの流通開始時から３０秒毎に測定することにより、３０秒毎のｐＨ値の変化を記録した。ｐＨ値の測定には、株式会社堀場製作所製ポータブル型ｐＨメーターＤ−７２（商標）を使用した。次いで、このようにして測定した、３０秒毎のｐＨ値の変化（ΔｐＨ）から、対応する３０秒間に純水中に溶出した塩化水素量（体積ｐｐｍ）を算出した。図２には、塩化水素含有窒素ガスの流通開始時から、３０秒間毎に純水中に溶出した塩化水素量（体積ｐｐｍ）の変化を示した。そして、塩化水素含有窒素ガスの流通開始時点から、３０秒間に純水中に溶出した塩化水素量が３０体積ｐｐｍを超える直前のｐＨ測定点までの時間を破過時間として記録した。該実質例における塩化水素除去剤の破過時間は、２１．０分であった。【００２７】
下記式（Ｉ）に基づいて、破過時間に至るまでの、塩化水素除去剤１００質量部あたりの塩素除去量を算出した。これを塩化水素除去剤による塩化水素除去量の指標として用いた。上記の実験において、塩化水素除去剤１００質量部（炭酸カルシウム１．０ｇと合成イモゴライト０．１ｇとの合計１．１ｇ）あたり、塩素０．７０質量部を除去することができた。
【化１】
2019016927.tif 000002
上記の式（Ｉ）中、Ｆｒは、塩化水素含有窒素ガス流量［ミリリットル／分］、Ｆｒａｃは、塩化水素含有窒素ガス中の塩化水素濃度［体積ｐｐｍ×１０−６］、ＢＴは、破過時間［分］、Ｖは、ガスの標準状態のモル体積［リットル／モル］、Ｍａｄｓｏｒｂｅｎｔは、塩化水素除去剤の使用量［ｇ］である。また、式中の３５．４５は、塩素（Ｃｌ）の原子量である。ここで、塩化水素含有窒素ガス中の塩化水素濃度は、１，１６０体積ｐｐｍであり、ガスの標準状態のモル体積は２２．４［リットル／モル］とした。【００２８】
（比較例１）
塩化水素除去剤を、炭酸カルシウム１．０ｇと合成イモゴライト０．１ｇとの混合物から、炭酸カルシウム１．０ｇのみに変更して使用した以外は、実施例１と同一にして塩化水素の除去を実施した。図３には、塩化水素含有窒素ガスの流通開始時から、３０秒間毎に純水中に溶出した塩化水素量（体積ｐｐｍ）の変化を示した。該比較例における塩化水素除去剤の破過時間は、２．５分であった。【００２９】
該実験において、塩化水素除去剤１００質量部（炭酸カルシウム１．０ｇ）あたり、塩素０．０９質量部を除去することができた。ここで、比較例１の塩化水素除去剤（炭酸カルシウム１．０ｇ）は、実施例１の塩化水素除去剤（炭酸カルシウム１．０ｇと合成イモゴライト０．１ｇとの合計１．１ｇ）中の炭酸カルシウムに相当する。従って、実施例１の塩化水素除去剤量を１００質量部とすると、比較例１の塩化水素除去剤量は９０．９質量部となり、それに対応する塩素除去量は、０．０８質量部となる。【００３０】
（比較例２）
塩化水素除去剤を、炭酸カルシウム１．０ｇと合成イモゴライト０．１ｇとの混合物から、合成イモゴライト０．１ｇのみに変更して使用した以外は、実施例１と同一にして塩化水素の除去を実施した。図４には、塩化水素含有窒素ガスの流通開始時から、３０秒間毎に純水中に溶出した塩化水素量（体積ｐｐｍ）の変化を示した。該塩化水素除去剤の破過時間は、４．５分であった。【００３１】
該実験において、塩化水素除去剤１００質量部あたり、塩素１．６５質量部を除去することができた。ここで、比較例２の塩化水素除去剤（合成イモゴライト０．１ｇ）は、実施例１の塩化水素除去剤（炭酸カルシウム１．０ｇと合成イモゴライト０．１ｇとの合計１．１ｇ）中の合成イモゴライトに相当する。従って、実施例１の塩化水素除去剤量を１００質量部とすると、比較例２の塩化水素除去剤量は９．１質量部となり、それに対応する塩素除去量は、０．１５質量部となる。【００３２】
（実施例２）
塩化水素除去装置（Ａ）内の温度を１５０℃にした以外は、実施例１と同一にして実施した。該塩化水素除去剤の破過時間は、１５．５分であった。塩化水素除去剤１００質量部あたり、塩素０．５２質量部を除去することができた。【００３３】
（比較例３）
塩化水素除去装置（Ａ）内の温度を１５０℃にした以外は、比較例１と同一にして実施した。該塩化水素除去剤の破過時間は、２．０分であった。塩化水素除去剤１００質量部あたり、塩素０．０７質量部を除去することができた。ここで、比較例１と同様に、比較例３の塩化水素除去剤量を、実施例２の塩化水素除去剤中の炭酸カルシウム相当量に換算すると、塩素除去量は０．０６質量部となる。【００３４】
（比較例４）
塩化水素除去装置（Ａ）内の温度を１５０℃にした以外は、比較例２と同一にして実施した。該塩化水素除去剤の破過時間は、９．０分であった。塩化水素除去剤１００質量部あたり、塩素３．３０質量部を除去することができた。ここで、比較例２と同様に、比較例４の塩化水素除去剤量を、実施例２の塩化水素除去剤中の合成イモゴライト相当量に換算すると、塩素除去量は０．３０質量部となる。【００３５】
（実施例３）
塩化水素除去装置（Ａ）内の温度を１００℃にした以外は、実施例１と同一にして実施した。該塩化水素除去剤の破過時間は、１５．０分であった。塩化水素除去剤１００質量部あたり、塩素０．５０質量部を除去することができた。【００３６】
（比較例５）
塩化水素除去装置（Ａ）内の温度を１００℃にした以外は、比較例１と同一にして実施した。該塩化水素除去剤の破過時間は、１．５分であった。塩化水素除去剤１００質量部あたり、塩素０．０６質量部を除去することができた。ここで、比較例１と同様に、比較例５の塩化水素除去剤量を、実施例３の塩化水素除去剤中の炭酸カルシウム相当量に換算すると、塩素除去量は０．０５質量部となる。【００３７】
（比較例６）
塩化水素除去装置（Ａ）内の温度を１００℃にした以外は、比較例２と同一にして実施した。該塩化水素除去剤の破過時間は、１１．０分であった。塩化水素除去剤１００質量部あたり、塩素４．０４質量部を除去することができた。ここで、比較例２と同様に、比較例６の塩化水素除去剤量を、実施例３の塩化水素除去剤中の合成イモゴライト相当量に換算すると、塩素除去量は０．３７質量部となる。【００３８】
上記の実施例１〜３及び比較例１〜６の結果を、下記の表１に示した。【００３９】
【表１】
2019016927.tif 000003
表１において、各比較例の塩素除去量は、対応する実施例の炭酸カルシウム相当量又は合成イモゴライト相当量基準に換算して算出した値である。塩素除去量差は、各実施例の合計塩素除去量と、それに対応する二つの比較例の合計塩素除去量との差である。【００４０】
実施例１は、塩化水素除去装置（Ａ）内の温度２００℃において、塩化水素除去剤として、炭酸カルシウム１．０ｇ（１００質量部）と合成イモゴライト０．１ｇ（１０質量部）との混合物により、塩化水素含有窒素ガスから塩化水素を除去したものである。塩化水素除去量の指標である塩素除去量は、塩化水素除去剤１００質量部あたり０．７０質量部と非常に良好であった。【００４１】
一方、比較例１は、実施例１で使用した塩化水素除去剤である、炭酸カルシウム１．０ｇと合成イモゴライト０．１ｇとの混合物中の炭酸カルシウム１．０ｇのみを使用して、塩化水素含有窒素ガスから塩化水素を除去したものである。また、比較例２は、実施例１で使用した塩化水素除去剤中の合成イモゴライト０．１ｇのみを使用して、塩化水素含有窒素ガスから塩化水素を除去したものである。比較例１及び比較例２において、塩化水素除去量の指標である塩素除去量は、夫々、実施例１の炭酸カルシウム相当量９０．９質量部あたり０．０８質量部、及び、実施例１の合成イモゴライト相当量９．１質量部あたり０．１５質量部であった。従って、比較例１及び比較例２における塩素除去量を合計しても、塩化水素除去剤１００質量部（９０．９＋９．１質量部）あたり０．２３質量部（０．０８＋０．１５質量部）であり、実施例１における塩素除去量０．７０質量部と比較して著しく少ないものであった。【００４２】
このように、炭酸カルシウム（１．０ｇ）と合成イモゴライト（０．１ｇ）とを混合した塩化水素除去剤を使用した実施例１においては、塩化水素除去量の指標である塩素除去量は、塩化水素除去剤１００質量部（１．１ｇ）あたり０．７０質量部となり、比較例１における炭酸カルシウム（１．０ｇ）及び比較例２における合成イモゴライト（０．１ｇ）の単独使用の場合の塩素除去合計量０．２３質量部と比較すると、その差は０．４７質量部であった。このように、炭酸カルシウムと合成イモゴライトとを混合した塩化水素除去剤を使用すると、夫々を単独使用した際の塩素除去合計量と比較して、その塩素除去量は著しく増大することが分かった。【００４３】
実施例２並びに比較例３及び４は、塩化水素除去装置（Ａ）内の温度を１５０℃としたものであり、また、実施例３並びに比較例５及び６は、塩化水素除去装置（Ａ）内の温度を１００℃としたものであり、その他の条件は、夫々、実施例１並びに比較例１及び２と同一の条件で塩化水素除去を実施したものである。【００４４】
表１の結果から明らかなように、実施例２における塩化水素除去量の指標である塩素除去量は、塩化水素除去剤１００質量部（１．１ｇ）あたり０．５２質量部となり、単独使用の比較例３（０．０６質量部）と比較例４（０．３０質量部）との合計量０．３６質量部と比較して著しく増大していることが分かった。また、実施例３における塩化水素除去量の指標である塩素除去量は、塩化水素除去剤１００質量部（１．１ｇ）あたり０．５０質量部となり、単独使用の比較例５（０．０５質量部）と比較例６（０．３７質量部）との合計量０．４２質量部と比較して明らかに増大していることが分かった。【００４５】
上記のように、炭酸カルシウムと合成イモゴライトとを混合した塩化水素除去剤を使用すると、塩化水素除去量の指標である塩素除去量は、炭酸カルシウム又は合成イモゴライトの単独使用の際の塩素除去量の総和に比べて著しく増大することが分かった。このように、炭酸カルシウムと合成イモゴライトとを混合して使用すると、塩化水素除去量の指標である塩素除去量に関して単独使用の場合に総和の効果以上の効果、即ち、相乗効果があることが認められた。また、該相乗効果は、１００℃から２００℃へと塩化水素除去装置（Ａ）内の温度が高くなるに従って、即ち、塩化水素を除去する際の温度が高くなるに従って、より顕著になることが分かった。【００４６】
（実施例４）
塩化水素除去剤として、炭酸カルシウム１．０ｇ（１００質量部）と、合成イモゴライト０．０５ｇ（５質量部）との混合物を使用した以外は、実施例１と同一にして塩化水素の除去を実施した。該塩化水素除去剤の破過時間は、９．５分であった。塩化水素除去剤１００質量部あたり、塩素０．３３質量部を除去することができた。【００４７】
（実施例５）
塩化水素除去剤として、炭酸カルシウム１．０ｇ（１００質量部）と、合成イモゴライト０．１５ｇ（１５．０質量部）との混合物を使用した以外は、実施例１と同一にして塩化水素の除去を実施した。該塩化水素除去剤の破過時間は、２５．５分であった。塩化水素除去剤１００質量部あたり、塩素０．８１質量部を除去することができた。【００４８】
（実施例６）
塩化水素除去剤として、炭酸カルシウム１．０ｇ（１００質量部）と、合成イモゴライト０．２０ｇ（２０．０質量部）との混合物を使用した以外は、実施例１と同一にして塩化水素の除去を実施した。該塩化水素除去剤の破過時間は、２７．０分であった。塩化水素除去剤１００質量部あたり、塩素０．８３質量部を除去することができた。【００４９】
下記の表２には、塩化水素除去剤において、炭酸カルシウム１．０ｇ（１００質量部）に対する合成イモゴライトの混合量を変化させた際の破過時間の変化を示した。【００５０】
【表２】
2019016927.tif 000004
表２において、カッコ内の数値は、炭酸カルシウム１．０ｇを１００質量部としたときの各合成イモゴライトの添加量を質量部で表したときの値を示している。【００５１】
表２から明らかなように、塩化水素除去剤として、炭酸カルシウムと合成イモゴライトとの混合物を使用すると、炭酸カルシウム単独使用に比較して著しくその寿命（破過時間）が増大することが分かった。また、炭酸カルシウムに対する合成イモゴライトの混合比を増加すると、著しくその寿命（破過時間）が増大することが分かった。
【産業上の利用可能性】
【００５２】
本発明の塩化水素除去剤は、比較的低温で良好な塩化水素除去効果を有するばかりではなく、該良好な塩化水素除去効果を比較的長時間に亘って保持し得、加えて、炭酸カルシウムと、イモゴライト及び／又は合成イモゴライトとの混合物であることから比較的入手が容易であり、かつ、これらの物質を単に混合して使用するものであることからきわめて安価であり、今後、熱分解ガス、燃焼排ガス、乾留ガス等の塩化水素含有ガスに含まれる塩化水素の除去、とりわけ、バイオマス熱分解ガスに含まれる塩化水素の除去に使用されることが、大いに期待される。
【符号の説明】
【００５３】
Ａ  実験に使用した塩化水素除去装置
１  ガス導入口
２  ガス排出口
３  焼結フィルター
４  グラスウール
５  加熱装置（リボンヒーター）
６  塩化水素除去剤
７  温度及び圧力測定装置
８  気相部分
【図１】
2019016927.tif 000005
【図２】
2019016927.tif 000006
【図３】
2019016927.tif 000007
【図４】
2019016927.tif 000008
【国際調査報告】
2019016927.tif 000009
2019016927.tif 000010
2019016927.tif 000011
2019016927.tif 000012